(57)【要約】【課題】  学習領域ｓは有限で、かつ、データ領域の代替領域より非常に小さい領域しか割り当てがないので、学習領域ｓ内の最終領域まで使い尽くしてしまうと、記録学習ができなくなる。【解決手段】  学習領域ｓの最終アドレスＡｄｒ＿n-1の学習データ記録単位領域を使い切った場合、記録頻度が少ない方の学習データ記録部分R0_bとR1_ｂが隣接する領域を使用する。学習データ記録部分R0_ｂとR1_ｂでの記録回数は、学習データ記録部分R0_ａの記録回数より少ないので、まだ使用できる領域であるからである。記録開始アドレスＡｄｒ＿ｎの記録単位領域への記録回数を使い切った場合は、記録開始アドレスをＡｄｒ＿n+1に更新し、次の記録頻度が少ない方の学習データ記録部分R2＿ｂとR3＿ｂが隣接する領域を再び使用して学習データＲn+1＿ａとＲn+1＿ｂの記録を開始する。【選択図】            図３
2005310254.tif 000002
【特許請求の範囲】
【請求項１】
書換可能な記録媒体のデータ領域以外の書換可能な記録領域に、記録頻度の異なる複数の学習データを記録再生する学習領域と、この学習領域への前記学習データの記録回数及び記録領域開始アドレスとが記録される管理領域とを形成するように、前記書換可能な記録媒体への記録再生を行う媒体記録管理装置であって、
前記管理領域から読み出した最も記録頻度の多い学習データの記録回数が所定の記録上限回数以下であるか否か判定する第１の判定手段と、
前記第１の判定手段により前記記録回数が所定の記録上限回数以下と判定されたときは、前記管理領域から読み出した前記記録領域開始アドレスが示す前記学習領域内の媒体位置からの学習データ単位領域に、前記記録頻度の異なる複数の学習データを記録頻度の多い順又は少ない順に記録すると共に、前記管理領域への記録回数を更新する第１の記録手段と、
前記第１の判定手段により前記記録回数が前記所定の記録上限回数を超えたと判定されたときは、前記管理領域から読み出した前記記録領域開始アドレスよりも所定長異なる媒体位置のアドレスが、前記学習データ単位領域を前記学習領域内に設定できる最後の最終アドレスであるか否か判定する第２の判定手段と、
前記第２の判定手段により前記最終アドレスでないと判定されたときは、新たな学習データ単位領域に前記記録頻度の異なる複数の学習データを前回の記録順とは逆順に記録すると共に、前記管理領域に記録回数と新たな記録領域開始アドレスを記録する第２の記録手段と
を有し、前記第２の記録手段による記録後は前記第１の判定手段による判定を行い、隣接する前記学習データ単位領域間で記録頻度が最も少ない学習データ同士、又は記録頻度が最も多い学習データ同士が隣接するように記録することを特徴とする媒体記録管理装置。
【請求項２】
前記第２の判定手段により前記最終アドレスであると判定されたときは、前記第１及び第２の記録手段で記録された隣接する前記学習データ単位領域間で記録頻度が最も少ない学習データ同士が隣接する領域の先頭を新たな記録開始アドレスとして設定すると共に、前記所定の記録上限回数から前記記録頻度の最も多い学習データの記録頻度を差し引いた回数を新たな記録上限回数に設定する設定手段と、
前記設定手段により設定された新たな記録開始アドレスからの学習データ単位領域に、前記記録頻度の異なる複数の学習データを記録頻度の多い順又は少ない順に記録すると共に、前記管理領域に前記設定手段により設定された新たな記録上限回数と新たな記録領域開始アドレスを記録することを、記録頻度の最も多い前記学習データが新たな記録上限回数記録されるまで繰り返す第３の記録手段と
を更に有し、前記設定手段による前記第１及び第２の記録手段で記録された隣接する前記学習データ単位領域間で記録頻度が最も少ない学習データ同士が隣接する次の領域の先頭を新たな記録開始アドレスとするアドレス設定、及び前記所定の記録上限回数から前記記録頻度の最も多い学習データの記録頻度を差し引いた回数を新たな記録上限回数の設定と、前記第３の記録手段による記録を前記学習領域内の記録頻度が最も少ない学習データ同士が隣接する全ての領域について順次行うことを特徴とする請求項１記載の媒体記録管理装置。
【発明の詳細な説明】
【技術分野】
【０００１】
本発明は媒体記録管理装置に係り、特に書き換え記録型光ディスクにおいて、重ね書き（オーバライト）の回数が一定回数以上になった時、代替領域を使用するように記録管理を行う媒体記録管理装置に関する。
【背景技術】
【０００２】
書き換え型光ディスクに情報信号を記録する場合、同一記録領域に複数回重ね書き（オーバライト）を行うが、その光ディスクの特性によっては、その重ね書き記録回数が一定回数以上の場合再生劣化を起こし、読み出せなくなることが知られている。このため、記録回数を管理しておき、予め代替領域を用意しておき、一定回数以上書き込む場合は、代替領域に書き込む様な処理方法が一般的である（例えば、特許文献１参照）。
【０００３】
すなわち、特許文献１には、書換可能な光ディスク上の複数セクタ群内に１個以上のセクタを管理セクタとして選択する選択手段と、前記セクタ群内のセクタへの情報記録の前に前記管理セクタ中に書いてある記録回数を再生する再生手段と、前記記録回数が所定回数を超えたときには前記情報記録を禁止し、そうでないときには前記情報記録を許可する記録制御手段と、前記記録制御手段で情報記録を許可する場合には、情報記録の前あるいは後に、前記記録回数を１回分増やした記録回数を前記管理セクタに記録する記録手段とを備えた媒体記録管理装置が開示されている。
【０００４】
また、記録回数が所定回数以上になったらホスト側に書き込み不能を通知したり、代替領域に交代して記録を継続するといった処理方法も開示されている。
【０００５】
【特許文献１】特開昭６３−２４９９７４号公報
【発明の開示】
【発明が解決しようとする課題】
【０００６】
しかるに、上記の特許文献１記載の従来の媒体記録管理装置では、ランダムにユーザデータが書き込まれる記録セクタに所定回数記録が行われたときには、代替セクタに交代して記録を継続するようにしているが、一般的な書き換え型光ディスクは、上記のユーザデータが書き込まれる記録セクタ及び代替セクタからなるユーザ用の記録領域の他に、記録装置自身が記録条件学習を行うための学習領域が設けられている。
【０００７】
記録装置はこの学習領域でも記録を行うが、上記ユーザ用の記録領域と同様に一定回数以上の記録は再生時に劣化を引き起こすので、一定回数以上の記録には代替処理が必要である。しかし、上記の従来の媒体記録管理装置では、この学習領域に代替セクタは設けることは記載されておらず、また、学習領域として使用できる範囲も少ない。従って、この学習領域内でなるべく有効に記録しなければならない。
【０００８】
そこで、一般的に考えられる媒体記録管理方法は、初期記録アドレスを決めておき、記録回数が一定以上になったら学習記録単位分記録開始アドレスを更新して、順次新領域を更新する方法で対処ができる。この媒体記録管理方法について図５と共に説明する。
【０００９】
図５において、書換型光ディスクのリードイン領域内に学習領域ｓがあり、この学習領域ｓに記録される学習用データの記録単位をｒとし、その記録長はＬである。記録開始アドレスをＡｄｒとすると、学習領域ｓの記録開始時はＡｄｒ＿０から学習用データが記録単位領域ｒ０に記録される。この記録単位領域ｒ０の学習データ記録回数を管理するため、管理領域ｍがあり、この管理領域ｍにはアドレスＡｒ＿０と記録回数が記録される。記録再生装置はこの管理領域ｍ内の値を参照して記録回数を管理する。
【００１０】
記録単位領域ｒ０には以降学習用データが繰り返し記録されるが、記録再生装置は記録前にこの管理領域ｍ内の記録回数を参照し、制限回数を越えなければｒ０に学習用データを上書き記録し、管理領域ｍ内の記録回数値を１つ更新して保存する。もし、制限回数を越えたら、新アドレスＡｄｒ＿１を指定して新記録単位領域ｒ１に学習データを記録する。次回からは管理領域ｍを参照してｒ１に学習記録を行う。
【００１１】
しかしながら、学習領域ｓは有限で、かつ、データ領域の代替領域より非常に小さい領域しか割り当てがないので、やがてｎ個目の学習データ用記録単位領域への記録を行い、学習領域ｓ内の最終領域Ａｄｒ＿ｎ−１まで使い尽くしてしまい、記録学習ができなくなる。学習領域ｓには代替領域がないので、この小さい学習領域ｓをなるべく有効に使う必要がある。
【００１２】
本発明は以上の点に鑑みなされたもので、記録学習固有の記録回数の相違のある複数の記録単位を降順または、昇順に対向して配置し、記録頻度の少ない領域を新記録アドレスとして再利用することで全記録領域の使用回数を制限まで使い切ることを可能とし、有限の記録領域をより効率的に利用し得る媒体記録管理装置を提供することを目的とする。
【課題を解決するための手段】
【００１３】
本発明は上記の目的を達成するため、書換可能な記録媒体のデータ領域以外の書換可能な記録領域に、記録頻度の異なる複数の学習データを記録再生する学習領域と、この学習領域への学習データの記録回数及び記録領域開始アドレスとが記録される管理領域とを形成するように、書換可能な記録媒体への記録再生を行う媒体記録管理装置であって、管理領域から読み出した最も記録頻度の多い学習データの記録回数が所定の記録上限回数以下であるか否か判定する第１の判定手段と、第１の判定手段により記録回数が所定の記録上限回数以下と判定されたときは、管理領域から読み出した記録領域開始アドレスが示す学習領域内の媒体位置からの学習データ単位領域に、記録頻度の異なる複数の学習データを記録頻度の多い順又は少ない順に記録すると共に、管理領域への記録回数を更新する第１の記録手段と、第１の判定手段により記録回数が所定の記録上限回数を超えたと判定されたときは、管理領域から読み出した記録領域開始アドレスよりも所定長異なる媒体位置のアドレスが、学習データ単位領域を学習領域内に設定できる最後の最終アドレスであるか否か判定する第２の判定手段と、第２の判定手段により最終アドレスでないと判定されたときは、新たな学習データ単位領域に記録頻度の異なる複数の学習データを前回の記録順とは逆順に記録すると共に、管理領域に記録回数と新たな記録領域開始アドレスを記録する第２の記録手段とを有し、第２の記録手段による記録後は第１の判定手段による判定を行い、隣接する学習データ単位領域間で記録頻度が最も少ない学習データ同士、又は記録頻度が最も多い学習データ同士が隣接するように記録することを特徴とする。
【００１４】
この発明では、書換可能な記録媒体のデータ領域以外の書換可能な記録領域に、記録頻度の異なる複数の学習データを記録再生する学習領域と、この学習領域への学習データの記録回数及び記録領域開始アドレスとが記録される管理領域とを形成するに際し、学習領域内の隣接する学習データ単位領域間で記録頻度が最も少ない学習データ同士、又は記録頻度が最も多い学習データ同士が隣接するように記録する。
【００１５】
また、上記の目的を達成するため、本発明は、第２の判定手段により最終アドレスであると判定されたときは、第１及び第２の記録手段で記録された隣接する学習データ単位領域間で記録頻度が最も少ない学習データ同士が隣接する領域の先頭を新たな記録開始アドレスとして設定すると共に、所定の記録上限回数から記録頻度の最も多い学習データの記録頻度を差し引いた回数を新たな記録上限回数に設定する設定手段と、設定手段により設定された新たな記録開始アドレスからの学習データ単位領域に、記録頻度の異なる複数の学習データを記録頻度の多い順又は少ない順に記録すると共に、管理領域に設定手段により設定された新たな記録上限回数と新たな記録領域開始アドレスを記録することを、記録頻度の最も多い学習データが新たな記録上限回数記録されるまで繰り返す第３の記録手段とを更に有し、設定手段による第１及び第２の記録手段で記録された隣接する学習データ単位領域間で記録頻度が最も少ない学習データ同士が隣接する次の領域の先頭を新たな記録開始アドレスとするアドレス設定、及び所定の記録上限回数から記録頻度の最も多い学習データの記録頻度を差し引いた回数を新たな記録上限回数の設定と、第３の記録手段による記録を学習領域内の記録頻度が最も少ない学習データ同士が隣接する全ての領域について順次行うことを特徴とする。
【００１６】
この発明では、記録頻度の最も多い学習データが記録上限回数記録されるまで、複数の学習データが記録された学習単位データ単位領域内の、記録頻度の小さな学習データの記録領域は記録上限回数まで記録されていないので、隣接する学習データ単位領域間で記録頻度が最も少ない学習データ同士が隣接する次の領域を再利用して複数の学習データを記録することができる。
【発明の効果】
【００１７】
本発明によれば、書換型記録媒体において、学習領域内の隣接する学習データ単位領域間で記録頻度が最も少ない学習データ同士、又は記録頻度が最も多い学習データ同士が隣接するように記録するようにしたため、記録頻度が最も少ない学習データ同士が記録されている記録領域を新たな学習データの記録領域として再利用することができ、有限の学習領域をより効率的に利用することができる。
【００１８】
これにより、本発明によれば、学習記録領域の更新する記録開始アドレスの設定回数が従来に比して例えば１.５倍になり、全体の記録回数も増加させることができ、よって、データ領域の記録回数寿命以前に学習領域を使い切ってしまう確率を大幅に低減でき、記録媒体全体の信頼性向上を図ることができる。
【発明を実施するための最良の形態】
【００１９】
次に、本発明を実施するための最良の形態について説明する。図１は本発明になる媒体記録管理装置を有する光ディスク記録再生装置の一実施の形態のブロック図を示す。この光ディスク記録再生装置は、書換型光ディスク１を回転させるスピンドルモータ２と、書換型光ディスク１に対して情報信号の記録又は再生を光学的に行う光学ヘッド３と、スピンドルモータ２を駆動するドライバ４と、光学ヘッド３の位置を移動させるドライバ５を有する。
【００２０】
また、光ディスク記録再生装置は、光学ヘッド３により書換型光ディスク１から読み出したＲＦ信号をヘッドアンプ６で増幅してからＨＦ（High Frequency）系とサーボ系に分けて処理する。ＨＦ系では、再生ＲＦ信号をＲＦ信号処理部７で２値化、復調、デコード、誤り訂正などを行い、読み出しデータとしてドライブコントローラ８に供給し、更にホストインターフェイスを介してホストコンピュータ(何れも図示せず)に転送する。
【００２１】
また、記録時にはドライブコントローラ８からの記録データを、ライト信号処理部９で記録に適した信号形態とした後、レーザドライバ１０を通じて光学ヘッド３に記録信号として供給して半導体レーザを駆動し、書換型光ディスク１にレーザ光を照射してデータを記録する。
【００２２】
一方、サーボ系は書換型光ディスク１から再生されたＲＦ信号が供給されるサーボ処理部１１により、フォーカスエラー信号やトラッキングエラー信号などを生成し、これらの信号に基づいて光学ヘッド３内の光学系を制御してフォーカスサーボをかけたり、トラッキングサーボをかけたりする。
【００２３】
ドライブコントローラ８はマイクロプロセッサ１２により動作が制御される。このマイクロプロセッサ１２は本発明になる媒体記録管理装置の一実施の形態を構成しており、そのソフトウェア処理により、後述するように書換型光ディスク１の記録管理を行う。
【００２４】
ここで、図２の一般的な書換型光ディスク１の領域の模式図に示すように、書換型光ディスク１の内周はリードイン領域１５であり、記録装置自身が学習のため使用する学習領域ｓを持つ。また、リードイン領域１５内には、学習領域ｓ内の記録単位の開始アドレスや記録回数を記録しておく管理領域ｍも設けられており、この管理領域ｍに記録し再生する信号に基づき学習領域ｓ内の記録回数を管理し、再生劣化を防止する。一般的に、学習領域ｓには代替セクタといった代替領域は無く、後述するデータ領域１６より領域長は小さい。
【００２５】
書換型光ディスク１の半径方向の中央範囲はデータ領域１６であり、ユーザデータの記録再生を行う領域である。このデータ領域１６は、ユーザにとって最も重要な領域であるため、データ領域１６内に予め代替領域を用意しておき、一定回数以上の記録を行ったセクタは捨て、以降の記録は代替セクタに記録する様にして、記録データの再生エラーが起きにくいようにする。更に、書換型光ディスク１のデータ領域１６よりも外周位置はリードアウト領域１７であり、リードイン領域１５と同様に、記録再生装置自身が利用する領域である。
【００２６】
ここで、図１の記録再生装置は、ユーザの記録データを書換型光ディスク１のデータ領域１６に記録するが、その前に記録条件の最適化を行うため、リードイン領域１５内の学習領域ｓを利用して記録再生装置自身が学習データを記録する。この学習領域ｓもデータ領域１６と同様に、繰り返し記録すると再生時の劣化があるので、記録回数を管理して同一位置の記録回数を制限する必要がある。
【００２７】
そこで、本実施の形態では、図５で説明した記録学習用の記録データｒは複数種類の用途でそれぞれ記録するため、全体では１回の記録でも個々の用途では記録する回数が異なることに着目した。すなわち、学習データには、例えば記録パワーと記録補償という２項目があり、記録パワーは所定データ単位毎に記録パワーを段階的に変化させて記録した後、読み出してその信号レベルを測定し、再生信号レベルの大きな記録パワーを最適な記録パワーとして学習でき、学習には少ない記録回数でよい。
【００２８】
一方、記録補償は複雑な波形の記録タイミングを求めるものであり、学習項目が多く、それぞれ値を少しずつ変化させて最適値を求めるものであり、記録補償の学習には記録補償の学習項目分の記録と再生を繰り返す必要がある。このため、１回の学習における記録補償の学習のための学習データの記録回数は、記録パワーの学習のための学習データの記録回数よりも多く必要となる。このように、学習領域には、学習のために必要な記録回数が異なる２つの学習データが記録、再生される。
【００２９】
その様子を図３に示す。図３では従来と同様に書換型光ディスク１のリードイン領域１５には管理領域ｍと学習領域ｓとが設けられており、その記録領域の大きさは従来と同じである。これに対し、従来と異なり、図３に示すように、学習データ記録単位領域ｒ０内には２つ記録学習用途で内周からＲ０＿ａ、Ｒ０＿ｂの順で２つの学習データを記録し、記録頻度（学習に必要な記録回数）はＲ０＿ａがＲ０＿ｂより多いとする。記録開始アドレスはＡｄｒ＿０で同じである。管理領域ｍ内の記録回数は記録頻度が多い方のＲ０＿ａの記録回数が全体の記録回数として記録され管理される。
【００３０】
図３でも図５の従来と同様に、学習データ記録単位領域ｒ０には以降の学習時に（例えば、光ディスクの装置への出し入れの度に）繰り返し記録されるが、記録再生装置は記録前にこの管理領域ｍ内の記録回数を参照し、制限回数を越えなければ学習データ記録単位領域ｒ０に２つの学習データＲ０＿ａ、Ｒ０＿ｂを繰り返し上書き記録し、その上書き記録回数を管理領域ｍに記録して管理する。記録頻度の多い学習データＲ０＿ａの上書き記録回数が制限回数を超えた場合は、従来と同様に同じく新アドレスＡｄｒ＿１に更新され、新たな学習データ記録単位領域ｒ１内に学習データＲ１＿ａ、Ｒ１＿ｂを記録し始める。
【００３１】
ただし、本実施の形態では、前回の記録開始アドレスＡｄｒ＿０の学習データ記録単位領域ｒ０とは異なり、記録開始アドレスＡｄｒ＿１の学習データ記録単位領域ｒ１では、学習データは内周から記録頻度の少ない学習データＲ１＿ｂ、記録頻度の多い学習データＲ１＿ａの順で２つの学習データを記録する。このため、記録頻度の少ない方の学習データＲ０＿ｂの記録部分と学習データＲ１＿ｂとが隣接する(連続させて対向配置される。)。
【００３２】
同様に、学習データ記録単位領域ｒ１への学習データＲ１＿ａ、Ｒ１＿ｂの記録が繰り返され、記録頻度の多い学習データＲ１＿ａの上書き記録回数が制限回数を超えた場合は、学習データ記録単位領域の新アドレスはＡｄｒ２に更新され、今度は学習データは次の学習データ記録単位領域ｒ２に内周から記録頻度の多い学習データＲ２＿ａ、記録頻度の少ない学習データＲ２＿ｂの順で２つの学習データが記録される。従って、記録頻度の多い方の学習データＲ１＿ａの記録部分と学習データＲ２＿ａとが隣接する(連続させて対向配置される。)。
【００３３】
このようにして、図３に示すように、隣接する学習データ記録単位領域では、記録頻度が少ない方の学習データ記録部分同士、又は記録頻度が多い方の学習データ記録部分同士が隣接するように、連続させて対向させて配置する。
【００３４】
本実施の形態では、学習領域ｓの最終アドレスＡｄｒ＿ｎ−１の学習データ記録単位領域を使い切った場合、今度は記録頻度が少ない方の学習データ記録部分Ｒ０＿ｂとＲ１＿ｂが隣接する領域を再び使用する。その理由は、学習データ記録部分Ｒ０＿ｂとＲ１＿ｂでの記録回数は、学習データ記録部分Ｒ０＿ａの記録回数より少ないので、まだ使用できる領域であるからである。このときの新アドレスはＡｄｒ＿ｎとなる。
【００３５】
例えば、Ｒ０＿ｂの記録回数がＲ０＿ａの１／２だった場合、Ｒ０＿ｂの記録回数は残りの１／２の回数はまだ使用できる。同様に、記録開始アドレスＡｄｒ＿ｎの記録単位領域への記録回数を使い切った場合は、図３に示すように、記録開始アドレスをＡｄｒ＿ｎ＋１に更新し、次の記録頻度が少ない方の学習データ記録部分Ｒ２＿ｂとＲ３＿ｂが隣接する領域を再び使用して学習データＲn+1＿ａとＲn+1＿ｂの記録を開始する。
【００３６】
このように、学習記録領域の残部分に記録することで、記録学習領域の使用アドレスはｎから１.５ｎに増加する。従って、記録制限回数をｘとし、記録データＲ０＿ｂの残記録回数をｚとすると、ディスク全体の記録回数はｎ・ｘからｎ・（０.５ｚ＋ｘ）に増加する。従って、本実施の形態によれば、データ領域１６の記録回数を超える前に学習領域ｓを使い切ってしまうことが少なくなり、記録信頼性を向上させることができる。
【００３７】
次に、本発明になる媒体記録管理装置の一実施の形態の動作について、図４（Ａ）及び（Ｂ）のフローチャートと共に説明する。図４（Ａ）において、まず、管理領域ｍを再生し、記録開始アドレスと記録回数を読み込む（ステップＳ１）。これが１周目だった場合で、かつ、記録回数制限以内なら図４（Ｂ）のサブルーチンの処理に以降する(ステップＳ２、Ｓ３、Ｓ１０)。
【００３８】
すなわち、ステップＳ１０のサブルーチンでは、図４（Ｂ）に示すように、ステップＳ１で読み込んだ学習領域ｓ内の記録開始アドレスからの長さＬの記録単位領域に、図３と共に説明したように学習データを書き込み(ステップＳ１０１)、記録開始アドレスは元のままで記録回数のみ更新して（ステップＳ１０２）、それら記録開始アドレスと記録回数を管理領域ｍに書き戻す（ステップＳ１０３）。
【００３９】
１周目であるが、記録回数が記録回数制限を超えている場合は、学習領域ｓの１周目の最終アドレスかどうか判断し(ステップＳ２、Ｓ３、Ｓ４)、１周目の最終アドレスでなかった場合は、記録開始アドレスＡｄｒを学習データ長Ｌ分加算して新アドレスに設定し（ステップＳ５）、新アドレスからの学習データ記録単位領域は新規領域なので記録回数を０にする（ステップＳ６）。
【００４０】
そして、新アドレスＡｄｒに光学ヘッドを移動させるシーク動作を行い(ステップＳ１４)、その新アドレスからの学習データ記録単位領域に、図３と共に説明したように学習データを書き込み(ステップＳ１５)、そのときの記録開始アドレスと記録回数を管理領域ｍに書き戻す（ステップＳ１６）。
【００４１】
他方、ステップＳ４で１周目の最終アドレスと判定された場合は、記録開始アドレスＡｄｒを図３で説明した２周目の先頭アドレスＡｄｒ＿ｎに設定し（ステップＳ７）、記録回数を１周目の記録領域の残記録回数に更新して（ステップＳ８）、上記と同様に図３で説明した学習データの書き込みと管理領域ｍへの書き込みを行う（ステップＳ１４、Ｓ１５、Ｓ１６）。
【００４２】
一方、２周目だった場合で、かつ、記録回数制限以内なら、そのまま記録学習を行い、記録開始アドレスは元のままで記録回数のみ更新して管理領域ｍに書き戻す（ステップＳ２、Ｓ９、Ｓ１０）。２周目だった場合で、記録回数制限を超え、かつ、２周目の最終アドレスでなかった場合は、２周目なので記録開始アドレスを学習データ長Ｌの２倍分加算して新アドレスに設定し（ステップＳ２、Ｓ９、Ｓ１１、Ｓ１２）、１周目の記録領域の残記録回数にして（ステップＳ１３）、上記と同様に学習データの書き込みと管理領域ｍへの書き込みを行う（ステップＳ１４、Ｓ１５、Ｓ１６）。
【００４３】
他方、２周目だった場合で、記録回数制限を超え、かつ、２周目の最終アドレスであると判定された場合は（ステップＳ１１）、学習領域ｓを使い尽くしたのでエラーとして終了する（ステップＳ１７）。
【００４４】
このように、本実施の形態によれば、学習領域ｓ内の更新する学習データ記録単位領域記録開始アドレスの設定回数が従来の記録方法に比して１.５倍になり、全体の記録回数も増加させることができるため、データ領域１６の記録回数寿命以前に学習領域ｓを使い切ってしまう確率を非常に低くできる。
【００４５】
なお、本発明は以上の実施の形態に限定されるものではなく、例えば学習データ記録単位領域に記録される学習データの数は３以上でもよく、この場合も記録頻度の最も多い学習データの記録回数が制限回数を越えた時点で次の学習データ記録単位領域への学習データの記録を開始すると共に、隣接する学習データ記録単位領域において、記録頻度の最も少ない学習データの記録部分同士、又は記録頻度の最も多い学習データの記録部分同士が隣接するように記録することにより、学習領域の記録回数を大幅に向上できる。
【図面の簡単な説明】
【００４６】
【図１】本発明装置を有する記録再生装置の一実施の形態のブロック図である。
【図２】光ディスクの領域構成を示す図である。
【図３】本発明装置の一実施の形態のディスク内の記録学習領域の模式図である。
【図４】本発明装置の一実施の形態の動作説明用フローチャートである。
【図５】従来のディスク内の記録学習領域の模式図である。
【符号の説明】
【００４７】
１  書換型光ディスク
３  光学ヘッド
７  ＲＦ信号処理部
８  ドライブコントローラ
９  マイクロプロセッサ
１５  リードイン領域
１６  データ領域
１７  リードアウト領域
ｍ  管理領域
ｓ  学習領域
ｒ０〜ｒn-1  学習データ単位記録領域
Ｒ０＿ａ、Ｒ１＿ａ、Ｒ２＿ａ、Ｒ３＿ａ、Ｒｎ＿ａ、Ｒn+1＿ａ  記録頻度が多い方の学習データ記録部分
Ｒ０＿ｂ、Ｒ１＿ｂ、Ｒ２＿ｂ、Ｒ３＿ｂ、Ｒｎ＿ｂ、Ｒn+1＿ｂ  記録頻度が少ない方の学習データ記録部分
【図１】
2005310254.tif 000003
【図２】
2005310254.tif 000004
【図３】
2005310254.tif 000005
【図４】
2005310254.tif 000006
【図５】
2005310254.tif 000007